(57)【特許請求の範囲】
【請求項１】
複数層からなるシート状積層体の少なくとも１層を、切削刃を外周面に設けてなる回転体により切削剥離する積層体の層の剥離方法であって、
前記シート状積層体を、前記回転体の後方側に所定間隔を開けて配置した板状の送りプレートの前方側の上縁に設けられ、後方側の上面が円弧状に形成されかつ前方側が前記回転体に面する斜面となっている横断面が山状の突出部に密着するようにして下方へ送り出し、前記斜面に送られる前記シート状積層体の少なくとも１層を、前記シート状積層体の送り方向と同じ方向に回転する前記回転体により切削剥離する場合に、
前記回転体と、
前記送りプレート、及び、この送りプレートの上方に前記シート状積層体の厚さより小さい間隔を開けて配置されかつ前記斜面に送られる前記シート状積層体の表層側が前記回転体によって切削剥離されるように前記シート状積層体を前記突出部に密着するようにして下方へ送り出す送りロールから構成されて前記回転体側へ前記シート状積層体を送る送り機構と、
切削剥離後のシート状積層体を引き取る引取機構と、
を備えた切削剥離装置により、
前記シート状積層体の少なくとも１層をその長手方向に沿って連続的に切削剥離することを特徴とする積層体の層の剥離方法。
【請求項２】
前記シート状積層体が、紙、織物、編物、不織布、及びガラス繊維マットからなる群から選択される基材と、発泡及び／又は非発泡の合成樹脂からなる模様形成層とを少なくとも備えたことを特徴とする請求項１記載の積層体の層の剥離方法。
【請求項３】
前記基材が紙からなると共に、前記模様形成層が発泡塩化ビニル系組成物からなる表層材であることを特徴とする請求項２記載の積層体の層の剥離方法。
【請求項４】
前記切削刃が、前記回転体の外周面に鋸歯状ワイヤを螺旋状に巻回することにより設けられていることを特徴とする請求項１乃至３のいずれか記載の積層体の層の剥離方法。
【請求項５】
前記切削刃が、前記回転体の外周面に形成した平刃であることを特徴とする請求項１乃至３のいずれか記載の積層体の層の剥離方法。
【請求項６】
前記切削刃が、前記回転体の外周面に切削用凹凸を形成することにより設けられていることを特徴とする請求項１乃至３のいずれか記載の積層体の層の剥離方法。
【請求項７】
前記回転体と前記送り機構のいずれか一方を位置調整可能に構成しておくことによって、前記回転体による切削剥離深さを微調整可能としたことを特徴とする請求項１乃至６のいずれか記載の積層体の層の剥離方法。
【発明の詳細な説明】
【０００１】
【発明の属する技術分野】
この発明は、例えば壁紙等の建物の内装材等に使用される積層体の層の剥離方法に関する。
【０００２】
【従来の技術】
従来から、例えば壁紙等の建物の内装材等としては、複数層からなるシート状積層体が使用されることが知られている。このシート状積層体の意匠面を構成する表層には、凹凸模様等により所定のデザインで模様形成層等が形成されるが、製造過程でこの模様形成層等にキズやシワ等の製造不良が発生することがある。
【０００３】
また、製造不良のない完成品でも、市場におけるデザインの流行の変遷等により、出荷や使用等されることなく、そのまま在庫として残ることがある。
【０００４】
しかしながら、上記のような不良品や在庫品は、有効に利用されることなく産業廃棄物として廃棄処分となるため、資源が無駄になるという問題点がある。
【０００５】
【発明が解決しようとする課題】
この発明は、以上のような問題点に鑑みてなされたものであり、建物の内装材等のシート状積層体を構成する各層の再利用を図ることができる積層体の層の剥離方法を提供することを目的とする。
【０００６】
【課題を解決するための手段】
上記目的を達成するための請求項１の手段とするところは、複数層からなるシート状積層体の少なくとも１層を、切削刃を外周面に設けてなる回転体により切削剥離する積層体の層の剥離方法であって、前記シート状積層体を、前記回転体の後方側に所定間隔を開けて配置した板状の送りプレートの前方側の上縁に設けられ、後方側の上面が円弧状に形成されかつ前方側が前記回転体に面する斜面となっている横断面が山状の突出部に密着するようにして下方へ送り出し、前記斜面に送られる前記シート状積層体の少なくとも１層を、前記シート状積層体の送り方向と同じ方向に回転する前記回転体により切削剥離する場合に、前記回転体と、前記送りプレート、及び、この送りプレートの上方に前記シート状積層体の厚さより小さい間隔を開けて配置されかつ前記斜面に送られる前記シート状積層体の表層側が前記回転体によって切削剥離されるように前記シート状積層体を前記突出部に密着するようにして下方へ送り出す送りロールから構成されて前記回転体側へ前記シート状積層体を送る送り機構と、切削剥離後のシート状積層体を引き取る引取機構と、を備えた切削剥離装置により、前記シート状積層体の少なくとも１層をその長手方向に沿って連続的に切削剥離することにある。
【０００７】
請求項２の手段とするところは、前記シート状積層体が、紙、織物、編物、不織布、及びガラス繊維マットからなる群から選択される基材と、発泡及び／又は非発泡の合成樹脂からなる模様形成層とを少なくとも備えたことにある。
【０００８】
請求項３の手段とするところは、前記基材が紙からなると共に、前記模様形成層が発泡塩化ビニル系組成物からなる表層材であることにある。
【０００９】
請求項４の手段とするところは、前記切削刃が、前記回転体の外周面に鋸歯状ワイヤを螺旋状に巻回することにより設けられていることにある。
【００１０】
請求項５の手段とするところは、前記切削刃が、前記回転体の外周面に形成した平刃であることにある。
【００１１】
請求項６の手段とするところは、前記切削刃が、前記回転体の外周面に切削用凹凸を形成することにより設けられていることにある。
【００１３】
請求項７の手段とするところは、前記回転体と前記送り機構のいずれか一方を位置調整可能に構成しておくことによって、前記回転体による切削剥離深さを微調整可能としたことにある。
【００１４】
【発明の実施の形態】
以下、この発明の実施形態を図面に基づいて説明する。
図１乃至図３に示すように、この実施形態に係る積層体の層の剥離方法は、例えば、紙からなる基材１と、発泡塩化ビニル系組成物からなる表層材（模様形成層）２との２層からなる壁紙（シート状積層体）３の前記表層材２を、切削刃４をその外周面５ａに設けてなる幅広の回転体５を備えた切削剥離装置６により、その長手方向に沿って連続的に切削剥離するものである。
【００１５】
前記壁紙３は、図２に示すように、例えば、紙からなる基材１の表面１ａに、模様形成層として発泡塩化ビニル系組成物からなる表層材２を積層したものである。
【００１６】
なお、前記基材１としては、この実施形態のような紙に限定されるものではなく、他にガラス繊維マットや、あるいは木綿等の天然繊維、ポリエステル等の合成繊維、アスベストやガラス繊維等の無機繊維等の適宜の繊維から構成された織物、編物、不織布を使用してもよい。また、前記模様形成層も、発泡塩化ビニル系組成物からなる表層材２の他、各種の発泡及び／又は非発泡の、即ち、所定倍率で発泡させた又は発泡させていない合成樹脂、あるいはこれら発泡合成樹脂と非発泡合成樹脂を積層又は分散等により適宜に複合化したものが挙げられる。更に、シート状積層体も壁紙３の他、２層又は３層以上の複数層からなる各種のシート状の積層体が挙げられる。
【００１７】
前記回転体５は、図４に示すように、幅広のドラム状に形成され、その外周面５ａには、例えば鋸歯状ワイヤ７を螺旋状に巻回することにより切削刃４が設けられている。
【００１８】
前記切削剥離装置６は、図１に示すように、所定位置に配置されて高速回転する回転体５と、この回転体５側へ前記壁紙３を送る送り機構８と、切削剥離後の壁紙３を例えば巻き取る引取ロール（引取機構）９とを備えている。
【００１９】
前記送り機構８は、図１及び図３に示すように、例えば、前記回転体５の後方側に所定間隔を開けて配置される送りプレート１０と、該送りプレート１０の上方に前記壁紙３の厚さ（Ｔ１＋Ｔ２）より少し小さい間隔を開けて配置される送りロール１１とから構成されている。
【００２０】
前記送りプレート１０は、例えば、幅広の所定厚さの板状に形成され、その前方側の上縁に横断面が山状の突出部１２が設けられている。この突出部１２の後方側の上面１２ａは、前記送りロール１１の回転により壁紙３をスムーズに送れるように円弧状に形成されている。また、突出部１２の前方側は、前記回転体５に面する斜面１２ｂとなっており、この突出部１２に密着するようにして前記壁紙３が下方へ送り出されるように構成されている。即ち、前記斜面１２ｂに送られる壁紙３の表層側である例えば表層材２が、前記回転体５によって切削剥離されるようになっている。
【００２１】
なお、必要に応じて前記送りプレート１０と送りロール１１のいずれか一方を位置調整可能に構成しておけば、これらの間の間隔を微調整できるので、種々の厚さのシート状積層体に対応できるという利点がある。また、必要に応じてこれら送りプレート１０と送りロール１１とからなる送り機構８と前記回転体５のいずれか一方を位置調整可能に構成しておけば、前記回転体５による切削剥離深さを微調整できるので、種々の厚さのシート状積層体に対応できると共に、目的の層だけを精度良く切削剥離できるという利点がある。更に、これら回転体５と送り機構８の間隔を広げることができるので、壁紙３をこの切削剥離装置６に簡単にセットできるという利点がある。
【００２２】
前記引取ロール９は、例えば、前記送りプレート１０の下方に、前記送り機構８により送り出されてくる切削剥離後の壁紙３を巻き取り可能に配置されている。なお、引取機構としては、この実施形態のような引取ロール９に限定されるものではなく、例えば前記壁紙３等のシート状積層体を巻き取らずにフィードするだけのもの等であってもよい。
【００２３】
ここで、前記壁紙３は、ロール状に巻回された状態で保管されることが多いので、当該切削剥離処理に際しては、その状態のままの原料ロール３ａとして、前記送り機構８の後方側等に回転自在で且つ前記送りプレート１０と送りロール１１の間に送られるように配置しておけばよい。
【００２４】
次に、上記のように構成される切削剥離装置６の動作について説明する。
まず、必要に応じて前記回転体５と送り機構８の間隔を広げると共に、前記送りプレート１０と送りロール１１の間隔も広げた状態等において、前記原料ロール３ａから壁紙３を引き出し、前記送りプレート１０と送りロール１１の間にその端部を挿入した後、壁紙３に適度な圧力が加わる程度にこれらの間隔を狭める。次いで、前記送りロール１１を適宜に回転させて壁紙３の端部を十分に引き出し、下方の引取ロール９に巻き付け等すれば、壁紙３のセットは完了する。
【００２５】
なお、この実施形態においては、壁紙３のうちの前記発泡塩化ビニル系組成物からなる表層材２の方を切削剥離するため、前記送りプレート１０上においてこの表層材２が上方を向くようにセットされているが、前記基材１の方を切削剥離する場合には、この基材１が上方を向くようにセットすればよい。
【００２６】
そして、前記回転体５を作動させて高速回転させると共に、前記送りロール１１や引取ロール９も作動させて回転させた状態で前記回転体５又は送り機構８の位置を移動させて間隔を狭めれば、図３に示すように、前記回転体５の切削刃４によって壁紙３の表層側にある表層材２が切削剥離される。
【００２７】
ここで、高速回転する回転体５の前記切削刃４の先端４ａと前記送りプレート１０の突出部１２の斜面１２ｂとの間隔を、前記壁紙３の基材１の厚さＴ１とほぼ同じ寸法となるように微調整すれば、切削剥離深さが前記表層材２の厚さＴ２とほぼ同じになるので、この表層材２だけをその長手方向に沿って連続的に切削剥離することができる。なお、壁紙３等のシート状積層体が３層以上からなる場合において、このうちの２層又はそれ以上の層を同時に切削剥離する場合でも、それらの合計厚さに応じて同様に微調整すればよい。
【００２８】
上記のようにして切削剥離された後の壁紙３は、ほぼ基材１だけが残り、前記引取ロール９により連続的に巻き取られていく。なお、前記表層材２は、回転体５により粉末状等に切削剥離されるので、必要に応じてこれを更に風力分離等すれば、純度をより高くできるという利点がある。
【００２９】
このように、前記壁紙３等の複数層からなるシート状積層体の少なくとも１層を、切削刃４をその外周面５ａに設けてなる幅広の回転体５により切削剥離するので、この切削剥離される層と残りの層を簡単に分別することができる。そのため、これらを廃棄処分することなく他の用途への再利用が可能となり、資源の有効利用を図ることができるという利点がある。
【００３０】
また、この実施形態のように、前記シート状積層体が、紙、織物、編物、不織布、及びガラス繊維マットからなる群から選択される基材と、発泡及び／又は非発泡の合成樹脂からなる模様形成層とを少なくとも備えている場合には、従来から大量に廃棄されてきた建物の内装材等の各層の再利用を図ることができるという利点がある。この場合、前記基材１が紙からなると共に、前記模様形成層が発泡塩化ビニル系組成物からなる表層材２である時には、従来から大量に廃棄されてきた壁紙等の各層の再利用を図ることができるという利点がある。
【００３１】
更に、前記切削剥離装置６により、前記表層材２等のシート状積層体の少なくとも１層をその長手方向に沿って連続的に切削剥離する場合には、切削剥離する層と残りの層とを効率良く短時間で分別できるという利点がある。
【００３２】
加えて、前記切削刃４が、前記回転体５の外周面５ａに鋸歯状ワイヤ７を螺旋状に巻回することにより設けられている場合には、切削効率が良いので、種々のシート状積層体に対応できるという利点がある。
【００３３】
なお、この切削刃４としては、前記鋸歯状ワイヤ７を使用する他、例えば図５に示すように、前記回転体５の外周面５ａに形成した平刃１３でもよい。この場合には、よりフラットに切削剥離できるので、切削剥離する層と残りの層の分別効率がより高くなるという利点がある。ここで、図５に示す例では、前記平刃１３を回転体５の軸方向に対して平行に形成しているが、螺旋状等に形成したり、あるいは所定幅で段違いに形成しておいてもよい。
【００３４】
また、図６に示すように、前記切削刃４を、前記回転体５の外周面５ａに切削用凹凸１４を形成することにより設けてもよく、この場合には、より細かく切削剥離できるので、分別効率がより高くなるという利点がある。ここで、前記切削用凹凸１４は、前記回転体５の外周面５ａに形成したいわゆるヤスリ状の凹凸であってもよいし、あるいは研摩材等を付着させることにより形成してもよい。
【００３５】
以上、この実施形態で説明した切削剥離装置６は、単に一例を示すものであって、その構成としては特に限定されるものではなく、種々の従来技術を利用することができる。
【００３６】
【実施例】
次に、この発明を実施例により更に詳細に説明するが、この発明は係る実施例に限定されるものではない。
【００３７】
シート状積層体として、紙からなる基材（難燃紙）と、発泡塩化ビニル系組成物からなる表層材（発泡倍率３倍）とから構成された壁紙（関東レザー株式会社製，商品名「ホタカ」）を使用した。
【００３８】
切削剥離装置として開繊機（日本スピンドル製造株式会社製，商品名「スーパーオープナ」）を使用し、前記壁紙の表層材側を切削剥離した。また、この切削剥離により生じた粉末状物を風力分離機（日本専機株式会社製，商品名「密閉循環式風力選別機」）にかけ、純度の高い表層材の粉末を得た。
【００３９】
上記で得られた風力分離後の粉末状の表層材の組成（重量率）を測定した。その結果を次の表１に示す。
【００４０】
【表１】
0003687021.tif 000002
【００４１】
【発明の効果】
以上のように、請求項１の発明によれば、複数層からなるシート状積層体の少なくとも１層を、切削刃を外周面に設けてなる回転体により切削剥離するので、この切削剥離される層と残りの層を簡単に分別することができる。そのため、これらを廃棄処分することなく他の用途への再利用が可能となり、資源の有効利用を図ることができるという利点がある。また、前記回転体と、この回転体側へ前記シート状積層体を送る送り機構と、切削剥離後のシート状積層体を引き取る引取機構とを備えた切削剥離装置により、前記シート状積層体の少なくとも１層をその長手方向に沿って連続的に切削剥離するので、切削剥離する層と残りの層とを効率良く短時間で分別できるという利点がある。
【００４２】
請求項２の発明によれば、前記シート状積層体が、紙、織物、編物、不織布、及びガラス繊維マットからなる群から選択される基材と、発泡及び／又は非発泡の合成樹脂からなる模様形成層とを少なくとも備えているので、従来から大量に廃棄されてきた建物の内装材等の各層の再利用を図ることができるという利点がある。
【００４３】
請求項３の発明によれば、前記基材が紙からなると共に、前記模様形成層が発泡塩化ビニル系組成物からなる表層材であるので、従来から大量に廃棄されてきた壁紙等の各層の再利用を図ることができるという利点がある。
【００４４】
請求項４の発明によれば、前記切削刃が、前記回転体の外周面に鋸歯状ワイヤを螺旋状に巻回することにより設けられているので、切削効率が良く、そのため種々のシート状積層体に対応できるという利点がある。
【００４５】
請求項５の発明によれば、前記切削刃が、前記回転体の外周面に形成した平刃であるので、よりフラットに切削剥離でき、そのため切削剥離する層と残りの層の分別効率がより高くなるという利点がある。
【００４６】
請求項６の発明によれば、前記切削刃が、前記回転体の外周面に切削用凹凸を形成することにより設けられているので、より細かく切削剥離でき、そのため分別効率がより高くなるという利点がある。
【００４８】
請求項７の発明によれば、前記回転体と前記送り機構のいずれか一方を位置調整可能に構成しておくことによって、前記回転体による切削剥離深さを微調整可能としたので、種々の厚さのシート状積層体に対応できると共に、目的の層だけを精度良く切削剥離できるという利点がある。更に、これら回転体と送り機構の間隔を広げることができるので、壁紙等のシート状積層体をこの切削剥離装置に簡単にセットできるという利点がある。
【図面の簡単な説明】
【図１】この実施形態に係る積層体の層の剥離方法に使用される切削剥離装置の概略説明図。
【図２】図１の壁紙の要部拡大断面図。
【図３】図１の回転体で表層材層を切削剥離する様子を示す要部拡大断面図。
【図４】図１の回転体の概略斜視図。
【図５】回転体の他の例を示す概略斜視図。
【図６】回転体の他の例を示す概略斜視図。
【符号の説明】
１  基材
２  表層材（模様形成層）
３  壁紙（シート状積層体）
４  切削刃
５  回転体
５ａ  外周面
６  切削剥離装置
７  鋸歯状ワイヤ
８  送り機構
９  引取ロール（引取機構）
１３  平刃
１４  切削用凹凸
【図１】
0003687021.tif 000003
【図２】
0003687021.tif 000004
【図３】
0003687021.tif 000005
【図４】
0003687021.tif 000006
【図５】
0003687021.tif 000007
【図６】
0003687021.tif 000008